【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
レンズＬAとレンズＬBを有する接合レンズであって、前記レンズＬBは前記レンズＬAよりも屈折力の絶対値が小さく、以下の条件式（１）、（３）を満足することを特徴とするレンズ成分。
０．０１≦１／ν2−１／ν1≦０．０６   …（１）
０．５×ν2／ν1＜Ｔν2／Ｔν1＜１０×ν2／ν1  …（３）
ここで、
ν1は前記レンズＬAのアッベ数（ｎd1−1）／（ｎF1−ｎC1）、
ν2は前記レンズＬBのアッベ数（ｎd2−1）／（ｎF2−ｎC2）、
ｎd1、ｎC1、ｎF1、ｎg1は各々前記レンズＬAのｄ線、Ｃ線、Ｆ線、ｇ線の屈折率、
ｎd2、ｎC2、ｎF2、ｎg2は各々前記レンズＬBのｄ線、Ｃ線、Ｆ線、ｇ線の屈折率、
Ｔν1は前記レンズＬAの温度分散の逆数、
Ｔν2は前記レンズＬBの温度分散の逆数、
であって、
温度分散の逆数Ｔνdは、以下の式で表され、
Ｔνd＝（ｎd20−１）／（ｎd00−ｎd40）
ｎd00はレンズ媒質の0℃におけるｄ線の屈折率、
ｎd20はレンズ媒質の20℃におけるｄ線の屈折率、
ｎd40はレンズ媒質の40℃におけるｄ線の屈折率、
である。
【請求項２】
物体側から順に、負の屈折力を有するレンズ群Ｂ、正の屈折力を有するレンズ群Ｃ、さらに１つまたは２つのレンズ群を有する結像光学系であって、
前記レンズ群Ｃは、広角端から望遠端に向かって変倍する際に物体側のみに移動し、
前記レンズ群Ｂに請求項１に記載のレンズ成分を用いたことを特徴とする結像光学系。
【請求項３】
前記レンズ群Ｂの物体側から１番目の負レンズ成分Ｂn1を有し、以下の条件式（１７）を満足することを特徴とする請求項２に記載の結像光学系。
１．８５＜ｎBn1＜２．３５  …（１７）
ここで、
ｎBn1は前記負レンズ成分Ｂn1のｄ線の屈折率、
である。
【請求項４】
前記レンズ群Ｂの物体側から２番目の負レンズ成分Ｂn2に前記レンズ成分を用い、
前記レンズ群Ｂの物体側から１番目の負レンズ成分Ｂn1と、前記負レンズ成分Ｂn2の像側に配された正レンズ成分Ｂpを有し、以下の条件式（１８）を満足することを特徴とする請求項２又は請求項３に記載の結像光学系。
−０．１０＜ｎBn1−ｎBp＜０．４０  …（１８）
ここで、
ｎBn1は前記負レンズ成分Ｂn1のｄ線の屈折率、
ｎBpは前記正レンズ成分Ｂpのｄ線の屈折率、
である。
【請求項５】
前記レンズ群Ｂの物体側から２番目の負レンズ成分Ｂn2に前記レンズ成分を用い、
前記レンズ群Ｂの物体側から１番目の負レンズ成分Ｂn1と、前記負レンズ成分Ｂn2を有し、以下の条件式（１９）を満足することを特徴とする請求項２から請求項４のいずれか１項に記載の結像光学系。
０．０５＜φBn2／φBn1＜０．８０  …（１９）
ここで、
φBn1は前記負レンズ成分Ｂn1の屈折力、
φBn2は前記負レンズ成分Ｂn2の屈折力、
である。
【請求項６】
レンズＬCを更に有し、
前記接合レンズにおいてレンズＬAとレンズＬBとレンズＬCがこの順で接合され、
以下の条件式（２）、（４）を満足することを特徴とする請求項１に記載のレンズ成分。
０．０１≦１／ν2−１／ν13≦０．０６   …（２）
０．５×ν2／ν13＜Ｔν2／Ｔν13＜１０×ν2／ν13  …（４）
ここで、
ν3は前記レンズＬCのｄ線基準のアッベ数（ｎd3−1）／（ｎF3−ｎC3）、
ｎd3、ｎC3、ｎF3、ｎg3は各々前記レンズＬCのｄ線、Ｃ線、Ｆ線、ｇ線の屈折率、
ν13は前記アッベ数ν1と前記アッベ数ν3の調和平均値、
Ｔν3は前記レンズＬCの温度分散の逆数、
Ｔν13は前記Ｔν1とＴν3の調和平均値、
である。
【請求項７】
前記接合レンズの接合面は非球面であって、
以下の条件式（５）を満足することを特徴とする請求項１に記載のレンズ成分。
−０．０５＜ｎ2−ｎ1＜０．３  …（５）
ここで、
ｎ1は前記レンズＬAのｄ線に対する屈折率、
ｎ2は前記レンズＬBのｄ線に対する屈折率、
である。
【請求項８】
前記接合レンズの接合面は非球面であって、
以下の条件式（５）、（６）を満足することを特徴とする請求項６に記載のレンズ成分。
−０．０５＜ｎ2−ｎ1＜０．３  …（５）
−０．０５＜ｎ2−ｎ3＜０．３  …（６）
【請求項９】
横軸をνd、及び縦軸をθgFとする直交座標系において、
θgF＝αgF×ν2＋βgF
で表される直線を設定したときに、前記レンズＬBのθgFとν2が以下の条件式（７）の範囲の下限値であるときの直線、及び上限値であるときの直線で定まる領域と、以下の条件式（８）で定まる領域の両方の領域に含まれることを特徴とする請求項１、及び請求項６から請求項８のいずれか１項に記載のレンズ成分。
０．７０００＜βgF＜０．８０００  …（７）
３≦ν2≦２７   …（８）
ここで、
αgF＝−０．００２６４、
θgFは前記レンズＬBの部分分散比（ｎg2−ｎF2)／（ｎF2−ｎC2）、
である。
【請求項１０】
横軸をνd、及び縦軸をθhgとする直交座標系において、
θhg＝αhg×ν2＋βhg
で表される直線を設定したときに、前記レンズＬBのθhgとν2が以下の条件式（９）の範囲の下限値であるときの直線、及び上限値であるときの直線で定まる領域と、以下の条件式（８）で定まる領域との両方の領域に含まれることを特徴とする請求項１、及び請求項６から請求項８のいずれか１項に記載のレンズ成分。
０．６９００＜βhg＜０．８２００  …（９）
３≦ν2≦２７   …（８）
ここで、
αhg＝−０．００３８８、
θhgは前記レンズＬBの部分分散比（ｎh2−ｎg2)／（ｎF2−ｎC2）、
ｎh2は前記レンズＬBのｈ線の屈折率、
である。
【請求項１１】
前記レンズＬAと前記レンズＬBは互いに異符号の屈折力を有することを特徴とする請求項１、及び請求項６から請求項１０のいずれか１項に記載のレンズ成分。
【請求項１２】
前記レンズＬAと同符号の屈折力を有することを特徴とする請求項１、及び請求項６から請求項１０のいずれか１項に記載のレンズ成分。
【請求項１３】
前記レンズＬCと前記レンズＬAは同符号の屈折力を有し、以下の条件式（１０）を満足することを特徴とする請求項６又は請求項８に記載のレンズ成分。
−２．０＜ｌｏｇ（φ3／φ1）＜０  …（１０）
ここで、
φ1は前記レンズＬAの屈折力、
φ3は前記レンズＬCの屈折力、
である。
【請求項１４】
前記レンズ群Ｂは前記レンズ成分のみからなることを特徴とする請求項２に記載の結像光学系。
【請求項１５】
前記レンズ群Ｂの物体側から２番目の負レンズ成分Ｂn2に前記レンズ成分を用いたことを特徴とする請求項２に記載の結像光学系。
【請求項１６】
前記レンズ群Ｂよりも物体側にレンズ群Ａを有することを特徴とする請求項２から請求項５、請求項１４、及び請求項１５のいずれか１項に記載の結像光学系。
【請求項１７】
前記レンズ群Ａは、物体側から光の進行方向に沿って順番に、負レンズと光路を折り曲げるための反射光学素子とを有することを特徴とする請求項１６に記載の結像光学系。
【請求項１８】
物体側から順に、正の屈折力を有するレンズ群Ａと、負の屈折力を有するレンズ群Ｂと、正の屈折力を有し広角端から望遠端に向かって変倍する際に物体側のみに移動するレンズ群Ｃと、さらに１つまたは２つのレンズ群とを有する結像光学系であって、
前記レンズ群Ｂの物体側から２番目の負レンズ成分Ｂn2に請求項１、及び請求項６から請求項１３のいずれか１項に記載の前記レンズ成分を用いたことを特徴とする結像光学系。
【請求項１９】
レンズＬCを更に有し、
前記接合レンズにおいてレンズＬAとレンズＬBとレンズＬCがこの順で接合され、
以下の条件式（２０）を満足することを特徴とする請求項２から請求項５、及び請求項１４から請求項１８のいずれか１項に記載の結像光学系。
−０．０５＜（Δｚ1（h）−Δｚ4（h））／（fw・tanω10w）＜  ０．０８…（２０）
ここで、
ｚ1は前記レンズＬAの空気接触面Iの形状であって、近軸曲率半径RをＲ1としたときの上記式（１１）に従う形状、
Δｚ1は前記レンズＬAの空気接触面Iの非球面成分であって、近軸曲率半径RをＲ1とし
たときの上記式（１２）に従う成分、
ｚ4は前記レンズＬCの空気接触面IVの形状であって、近軸曲率半径RをＲ4としたときの上記式（１１）に従う形状、
Δｚ4は前記レンズＬCの空気接触面IVの非球面成分であって、近軸曲率半径RをＲ4としたときの上記式（１２）に従う成分、
ω10wは広角端における最大画角、
fwは前記結像光学系の広角端における全系の焦点距離であり、
前記レンズＬCが存在しない場合には、前記レンズＬCの空気接触面IVの形状を示すｚ4、Δｚ4、Ｒ4の代わりに、前記レンズＬBの空気接触面IIIの形状を示すｚ3、Δｚ3、Ｒ3、を用いる。
【請求項２０】
請求項２から請求項５、及び請求項１４から請求項１９のいずれか１項に記載の結像光学系と、前記結像光学系を通じて結像した像を撮像する電子撮像素子を有する電子撮像装置。
【請求項２１】
レンズＬCを有し、
前記レンズＬAと前記レンズＬBによって接合面IIが形成され、
前記レンズＬBと前記レンズＬCによって接合面IIIが形成され、
光軸方向をｚ、光軸に垂直な方向をｈとする座標軸とし、Ｒを球面成分の光軸上における曲率半径、ｋを円錐定数、Ａ４，Ａ６，Ａ８，Ａ１０…を非球面係数として、
前記非球面の形状を下記の式（１１）で表すと共に、
ｚ＝ｈ2／Ｒ〔１＋｛１−（１＋ｋ）ｈ2 ／Ｒ2 ｝1/2〕
＋Ａ4ｈ4＋Ａ6ｈ6＋Ａ8ｈ8＋Ａ10ｈ10＋  …（１１）
偏倚量を下記の式（１２）で表した場合、
Δｚ＝ｚ−ｈ２／Ｒ〔１＋｛１−ｈ2 ／Ｒ2 ｝1/2〕   …（１２）
以下の条件式（１４）を満足することを特徴とする請求項２０に記載の電子撮像装置。
−５．０ｅ-4＜P・φ＜５．０ｅ-4  …（１４）
ここで、
Ｐは、前記接合面IIの非球面と分散に関するパラメータであって、以下の式で表され、
Ｐ＝Δｚ2（h）・｛（１／ν1）−（１／ν2）}
＋Δｚ3（h）・｛（１／ν2）−（１／ν3）｝  …（１３）
Ｒ2は前記接合面IIの近軸曲率半径、
Ｒ3は前記接合面IIIの近軸曲率半径、
ｚ2は前記接合面IIの形状であって、上記式（１１）に従う形状、
Δｚ2は前記接合面IIの非球面成分であって、上記式（１２）に従う成分、
ｚ3は前記接合面IIIの形状であって、上記式（１１）に従う形状、
Δｚ3は前記接合面IIIの非球面成分であって、上記式（１２）に従う成分、
前記レンズＬCがない場合は１／ν3＝０とし、
ｈ＝m・ａであり、
φは前記レンズ成分の屈折力、
mは、
前記レンズ群Bの物体側にレンズ群Aを有する場合のみm=1、
前記レンズ群Aに光路を折り曲げるためのプリズムを有する場合はm=1.4、
それ以外の場合はm=2.5であり、
前記レンズ群Aは、望遠端での全系焦点距離よりも短い焦点距離のレンズ群であり、
aは以下の式（１５）に従う量、
a＝(ｙ10)2・log10γ／ｆw…（１５）
ｙ10は前記結像光学系の結像位置近傍に配置された電子撮像素子の有効撮像面内において、中心から最も遠い点までの距離、
ｆwは前記結像光学系の広角端における全系の焦点距離、
γはズーム比（望遠端での全系焦点距離／広角端での全系焦点距離）、
また、各面の面頂を原点とするため、常にｚ（０）＝０、
である。
【請求項２２】
レンズＬCを有し、
前記レンズＬAと前記レンズＬBによって接合面IIが形成され、
前記レンズＬBと前記レンズＬCによって接合面IIIが形成され、
光軸方向をｚ、光軸に垂直な方向をｈとする座標軸とし、Ｒを球面成分の光軸上における曲率半径、ｋを円錐定数、Ａ４，Ａ６，Ａ８，Ａ１０…を非球面係数として、次の式（１１）で表した場合、
ｚ＝ｈ2／Ｒ〔１＋｛１−（１＋ｋ）ｈ2 ／Ｒ2 ｝1/2〕
＋Ａ4ｈ4＋Ａ6ｈ6＋Ａ8ｈ8＋Ａ10ｈ10＋  …（１１）
以下の条件式（１６）を満足することを特徴とする請求項２０又は請求項２１に記載の電子撮像装置。
０．０５≦｜ｚ2（h）−ｚ3（h）｜／ｔ2≦０．９５   …（１６）
ここで、
ｚ2は前記接合面IIの形状であって、上記式（１１）に従う形状、
ｚ3は前記接合面IIIの形状又は前記レンズＬBの空気接触面の形状であって、上記式（１１）に従う形状、
ｔ2は前記レンズＬBの光軸上の厚み、
ｈ＝m・ａであり、
mは、
前記レンズ群Bの物体側にレンズ群Aを有する場合のみm=1、
前記レンズ群Aに光路を折り曲げるためのプリズムを有する場合はm=1.4、
それ以外の場合はm=2.であり、
前記レンズ群Aは、望遠端での全系焦点距離よりも短い焦点距離のレンズ群であり、
aは以下の式（１５）に従う量、
a＝(ｙ10)2・log10γ／ｆw  …（１５）
ｙ10は前記結像光学系の結像位置近傍に配置された電子撮像素子の有効撮像面内において、中心から最も遠い点までの距離、
ｆwは前記結像光学系の広角端における全系の焦点距離、
γはズーム比（望遠端での全系焦点距離／広角端での全系焦点距離）、
また、各面の面頂を原点とするため、常にｚ（０）＝０、
である。
【請求項２３】
請求項２から請求項５、及び請求項１４から請求項１９のいずれか１項に記載の結像光学系と、電子撮像素子と、前記結像光学系を通じて結像した像を前記電子撮像素子で撮像することによって得られた画像データを加工して像の形状を変化させた画像データとして出力する画像処理手段とを有し、前記結像光学系が、無限遠物点合焦時に次の条件式（Ａ）を満足することを特徴とする電子撮像装置。
０．７＜ｙ07／（ｆｗ・ｔａｎω07w）＜０．９７  …（Ａ）
但し、
ｙ07は前記電子撮像素子の有効撮像面内（撮像可能な面内）で中心から最も遠い点までの距離（最大像高）をｙ10としたときｙ07＝０．７・ｙ10として表され、
ω07wは広角端における前記撮像面上の中心からｙ07の位置に結ぶ像点に対応する物点
方向の光軸に対する角度、
ｆｗは広角端における前記結像光学系の全系の焦点距離、
である。
【手続補正２】
【補正対象書類名】明細書
【補正対象項目名】００６１
【補正方法】変更
【補正の内容】
【００６１】
また、本実施形態の結像光学系は、レンズ群Ｂの物体側から１番目の負レンズ成分Ｂn1と、負レンズ成分Ｂn2の像側に配された正レンズ成分Ｂpを有し、以下の条件式（１８）を満足するとよい。
−０．１０＜ｎBn1−ｎBp＜０．４０  …（１８）
ここで、
ｎBn1は負レンズ成分Ｂn1のｄ線の屈折率、
ｎBpは正レンズ成分Ｂpのｄ線の屈折率、
である。